(57)【特許請求の範囲】
【請求項１】
外槽と、該外槽内に弾性的に吊支された受筒と、該受筒内で回転可能に支持され、乾燥のための洗濯物を収容する洗濯槽と、該洗濯槽の内側底部で回転可能に支持されたパルセータと、該パルセータを駆動するモータと、前記外槽の一部に取り付けられ、前記洗濯槽内の洗濯物を加熱して水分を蒸発させるヒータと、該ヒータからの温風を前記洗濯槽内に送風する送風機及び前記洗濯槽内から前記受筒の下部後方へ排出された洗濯物の水蒸気を含んだ温風を水冷してその水分を凝縮する縦長の熱交換器とから構成される乾燥装置と、該乾燥装置と前記受筒の上下部を接続する伸縮自在の蛇腹Ａ、Ｂと、該蛇腹Ｂと前記受筒との間に設けられ乾燥時にのみ通路を開けるように設定された仕切弁と、該仕切弁と前記受筒との間に設けられた洗濯、脱水、乾燥時兼用の排水弁とを備え、前記熱交換器の上方に温風冷却用の水供給口を設け、前記熱交換器内に前記水供給口から一定時間水を多量に流して水洗いするようにした洗濯乾燥機。
【請求項２】
外槽と、該外槽内に弾性的に吊支された受筒と、該受筒内で回転可能に支持され、乾燥のための洗濯物を収容する洗濯槽と、該洗濯槽の内側底部で回転可能に支持されたパルセータと、該パルセータを駆動するモータと、前記外槽の一部に取り付けられ、前記洗濯槽内の洗濯物を加熱して水分を蒸発させるヒータと、該ヒータからの温風を前記洗濯槽内に送風する送風機及び前記洗濯槽内から前記受筒の下部後方へ排出された洗濯物の水蒸気を含んだ温風を水冷してその水分を凝縮する縦長の熱交換器とから構成される乾燥装置と、該乾燥装置と前記受筒の上下部を接続する伸縮自在の蛇腹Ａ、Ｂと、該蛇腹Ｂと前記受筒との間に設けられ乾燥時にのみ通路を開けるように設定された仕切弁と、該仕切弁と前記蛇腹Ｂとの間に設けられた乾燥時専用の排水弁とを備え、前記熱交換器の上方に温風冷却用の水供給口を設け、前記熱交換器内に前記水供給口から一定時間水を多量に流して水洗いするようにし、また洗濯時には前記排水弁を開き、送風機を作動して洗濯槽内の水面に風を送るようにした洗濯乾燥機。
【請求項３】
外槽と、該外槽内に弾性的に吊支された受筒と、該受筒内で回転可能に支持され、乾燥のための洗濯物を収容する洗濯槽と、該洗濯槽の内側底部で回転可能に支持されたパルセータと、該パルセータを駆動するモータと、前記洗濯槽内の洗濯物を加熱して水分を蒸発させるヒータと、該ヒータからの温風を前記洗濯槽内に送風する送風機と前記受筒と一体に設けられ洗濯槽内から前記受筒の下部後方へ排出された洗濯物の水蒸気を含んだ温風を水冷してその水分を凝縮する縦長の熱交換器とから構成される乾燥装置とを備え、前記ヒータと送風機を前記外槽の一部に取り付け、前記熱交換器と送風機の間、及び前記ヒータと受筒上部の間をそれぞれ伸縮自在の蛇腹Ｃ、Ｄで接続すると共に、前記熱交換器の上方に温風冷却用の水供給口を設けた洗濯乾燥機。
【請求項４】
熱交換器内に前記水供給口から一定時間水を多量に流して水洗いするようにした請求項３に記載の洗濯乾燥機。
【請求項５】
熱交換器内を水洗いする際に、前記送風機を作動し、水量を少量にした請求項１、２または４いずれか１項に記載の洗濯乾燥機。
【発明の詳細な説明】
【０００１】
【発明の属する技術分野】
本発明は、パルセータを用いて洗濯から乾燥までを同一の洗濯槽内で行う家庭用の洗濯乾燥機に関し、特にその乾燥装置の一部である除湿用の熱交換器内の洗浄に関するものである。
【０００２】
【従来の技術】
従来の洗濯乾燥機としては、ドラム式の洗濯乾燥機が多数公開されているが、一般的に洗濯時間が長くまたコストも高くなる傾向にあった。このためパルセータ式の洗濯乾燥機の開発が行われていたが、乾燥時間を短くするために乾燥中の循環風量を多くする必要があり、除湿方式として水冷除湿を採用したものにあっては、冷却のための水が熱交換器から後方のヒータに侵入しやすくなる。この侵入防止のため、従来の洗濯乾燥機は、どうしても熱交換器の全長が長くなる傾向にあった。
【０００３】
【発明が解決しようとする課題】
しかし、従来のように熱交換器が長くなると、どうしても乾燥中に洗濯物から発生するリント等が熱交換器の内部にたまり易くなり、熱交換器の内部にリントが詰まって乾燥中の循環風量が低下し、乾燥性能も低下するという問題があった。
【０００４】
【課題を解決するための手段】
上記課題を解決するために本発明は、外槽の一部に取り付けられ、前記洗濯槽内の洗濯物を加熱して水分を蒸発させるヒータと該ヒータからの温風を前記洗濯槽内に送風する送風機と前記洗濯槽内から前記受筒の下部後方へ排出された洗濯物の水蒸気を含んだ温風を水冷してその水分を凝縮する縦長の熱交換器とから構成される乾燥装置と、該乾燥装置と前記受筒の上下部を接続する伸縮自在の蛇腹Ａ、Ｂと、該蛇腹Ｂと前記受筒との間に設けられ乾燥時のみ通路を開けるように設定された仕切弁と、該仕切弁と前記受筒との間に設けられた洗濯、脱水、乾燥時兼用の排水弁とを備え、前記熱交換器の上方に温風冷却用の水供給口を設け、前記熱交換器内に前記水供給口から一定時間水を多量に流して水洗いするようにしたもので、熱交換器内を水洗いするようにしているため、熱交換器内にリント等がたまることがなく、除湿、乾燥性能も低下せず、安定したパルセータ式の洗濯乾燥機が確立できる。
【０００５】
【発明の実施の形態】
本発明の請求項１に記載の発明は、外槽と、該外槽内に弾性的に吊支された受筒と、該受筒内で回転可能に支持され、乾燥のための洗濯物を収容する洗濯槽と、該洗濯槽の内側底部で回転可能に支持されたパルセータと、該パルセータを駆動するモータと、前記外槽の一部に取り付けられ、前記洗濯槽内の洗濯物を加熱して水分を蒸発させるヒータと該ヒータからの温風を前記洗濯槽内に送風する送風機と前記洗濯槽内から前記受筒の下部後方へ排出された洗濯物の水蒸気を含んだ温風を水冷してその水分を凝縮する縦長の熱交換器とから構成される乾燥装置と、該乾燥装置と前記受筒の上下部を接続する伸縮自在の蛇腹Ａ、Ｂと、該蛇腹Ｂと前記受筒との間に設けられ洗濯、脱水時には通路を閉じ、乾燥時には通路を開けるように設定された仕切弁と、該仕切弁と前記受筒との間に設けられた洗濯、脱水、乾燥時兼用の排水弁とを備え、前記熱交換器の上方に温風冷却用の水供給口を設け、前記熱交換器内に前記水供給口から一定時間水を多量に流して水洗いするようにしたものである。
【０００６】
この構成によれば、熱交換器内を定期的に水洗いするようにしているため、熱交換器内にリント等がたまることがなく、除湿、乾燥性能も低下せず、安定したパルセータ式の洗濯乾燥機が確立できる。
【０００７】
また、本発明の請求項２に記載の発明は、外槽と、該外槽内に弾性的に吊支された受筒と、該受筒内で回転可能に支持され、乾燥のための洗濯物を収容する洗濯槽と、該洗濯槽の内側底部で回転可能に支持されたパルセータと、該パルセータを駆動するモータと、前記外槽の一部に取り付けられ、前記洗濯槽内の洗濯物を加熱して水分を蒸発させるヒータと該ヒータからの温風を前記洗濯槽内に送風する送風機と前記洗濯槽内から前記受筒の下部後方へ排出された洗濯物の水蒸気を含んだ温風を水冷してその水分を凝縮する縦長の熱交換器とから構成される乾燥装置と、該乾燥装置と前記受筒の上下部を接続する伸縮自在の蛇腹Ａ、Ｂと、該蛇腹Ｂと前記受筒との間に設けられ洗濯、脱水時には通路を閉じ、乾燥時には通路を開けるように設定された仕切弁と、該仕切弁と前記蛇腹Ｂとの間に設けられた乾燥時専用の排水弁とを備え、前記熱交換器の上方に温風冷却用の水供給口を設け、前記熱交換器内に前記水供給口から一定時間水を多量に流して水洗いするようにし、洗濯時には前記排水弁を開き、送風機を作動して洗濯槽内の水面に風を送るようにしたものである。
【０００８】
この構成によれば、熱交換器内を水洗いするようにしているため、熱交換器内にリント等がたまることがなく、除湿、乾燥性能も低下しない。そして洗濯時に乾燥時専用の排水弁を開き、送風機を作動することにより外槽外部の空気を吸引して洗濯槽内の水面に風を吹き付けることができ、洗濯時に水が飛び跳ねて床面その他を濡らすことが無く、また乾燥装置内のヒータや送風機内に洗濯水や洗剤が逆流して乾燥機能を劣化させることもなく、安定したパルセータ式の洗濯乾燥機が確立できる。
【０００９】
また、本発明の請求項３に記載の発明は、外槽と、該外槽内に弾性的に吊支された受筒と、該受筒内で回転可能に支持され、乾燥のための洗濯物を収容する洗濯槽と、該洗濯槽の内側底部で回転可能に支持されたパルセータと、該パルセータを駆動するモータと、前記洗濯槽内の洗濯物を加熱して水分を蒸発させるヒータと該ヒータからの温風を前記洗濯槽内に送風する送風機と前記受筒と一体に設けられ洗濯槽内から前記受筒の下部後方へ排出された洗濯物の水蒸気を含んだ温風を水冷してその水分を凝縮する縦長の熱交換器とから構成される乾燥装置とを備え、前記ヒータと送風機を前記外槽の一部に取り付け、前記熱交換器と送風機の間、及び前記ヒータと受筒上部の間をそれぞれ伸縮自在の蛇腹Ｃ、Ｄで接続すると共に、前記熱交換器の上方に温風冷却用の水供給口を設けたものである。
【００１０】
この構成によれば、乾燥装置の一部である熱交換器が受筒と一体に設けられているため、洗濯時のすすぎ水等で熱交換器内を水洗いすることができるようになる。また受筒の下部と熱交換器を接続する蛇腹が不要になり、併せて主に洗濯時の蛇腹や蛇腹接続部からの水漏れ防止のために設けられていた仕切弁も廃止できる。
【００１１】
また、本発明の請求項４に記載の発明は、請求項３に記載した発明に加えて、前記熱交換器内に前記水供給口から一定時間水を多量に流して水洗いするようにしたものである。
【００１２】
この構成によれば、請求項３に記載の発明の作用に加え、熱交換器内をさらに水洗いするようにしているため、熱交換器内によりいっそうリント等がたまることがなく、除湿、乾燥性能も低下せず、安定したパルセータ式の洗濯乾燥機が確立できる。
【００１３】
また、本発明の請求項５に記載の発明は、請求項１または２または４いずれか１項に記載した発明に加えて、熱交換器内を水洗いする際に、前記送風機を作動するようにし、水量を少量にしたものである。
【００１４】
この構成によれば、請求項１または２または４いずれか１項に記載の発明の作用に加え、熱交換器内を水洗いする際に送風機を作動するように設けているため、水供給口から熱交換器内に供給された水が吹き上げられ噴霧状態となって熱交換器の内壁に飛び散り、洗浄効果が増して、少量の水を供給するだけで洗浄できるようになり節水効果が得られる。
【００１５】
【実施例】
以下本発明の実施例について図面を参照して説明する。
【００１６】
（実施例１）
図１〜２において、外槽１内には、サスペンション２によって弾性的に吊支された受筒３が設けられ、脱水時の振動をサスペンション２により吸収する構成としている。受筒３内には洗濯物を収容する乾燥兼用の洗濯槽７（以下単に洗濯槽７と称する）が回転可能に支持されている。洗濯槽７は内側底部に洗濯物を撹拌するパルセータ１２を回転可能に配すると共に、内部周壁に小孔５及び流体バランサー６を有している。パルセータ１２はその形状を外周を傾斜面としたナベ型にすることにより、乾燥行程の衣類をパルセータ１２の回転による遠心力で傾斜面に沿って上方向へ舞い上がりやすくしている。
【００１７】
４は中空の脱水軸で、受筒３の底部中央に設けられた脱水軸受け８によって軸支されている。この脱水軸４の上端側は洗濯槽７の底部に固定され、洗濯槽７を回転させる。９はパルセータ１２を回転させるように、上端側をパルセータ１２に固定した洗濯軸で、この洗濯軸９は脱水軸４の中空部に同軸上となるように配され、脱水軸４の中空部に設けた洗濯軸受け１０により軸支されている。
【００１８】
１１は脱水軸４内に内包され、歯車群で回転数を減速する減速機構であり、脱水時における洗濯槽７のアンバランスによる異常回転防止のために、好ましくは複数の歯車が対称の形に整列した遊星歯車による減速機構を用いる。この減速機構１１の出力側には洗濯軸９を接続し、入力側には洗濯入力軸１３を接続している。洗濯入力軸１３は脱水軸４の下部側中空部内に設けた入力軸受け１６により軸支されている。減速機構１１を内包する脱水軸４はケース１７により内包され、また、脱水軸４の下部はケース１７の下部に設けた軸受け１８により軸支されている。なお、このケース１７は受筒３の底部側に固定されている。
【００１９】
１４は脱水軸４及び洗濯入力軸１３を回転させる駆動モータであり、洗濯入力軸１３の下部に連結されている。
【００２０】
１５は駆動モータ１４の回転を脱水軸４に伝達または非伝達とするためのクラッチである。クラッチ１５は、脱水時には洗濯入力軸１３と脱水軸４を連結し、また洗濯、すすぎ時そして乾燥時には洗濯入力軸１３と脱水軸４とを切り離し洗濯槽７が固定になるように設けている。
【００２１】
また１９は前記外槽１の一部に取り付けられ、前記洗濯槽７内の洗濯物を乾燥させる乾燥装置であり、洗濯物を加熱して水分を蒸発させるヒータ２０と、該ヒータ２０からの温風を前記洗濯槽７内に送風する送風機２１と、前記小孔５から洗濯槽７外へ排出された洗濯物の水蒸気を含んだ温風を直接水冷してその水分を凝縮する熱交換器２２とから構成される。
【００２２】
前記熱交換器２２は、水平部２３と、垂直部２４から構成され、上方を形成する水平部２３に温風冷却用の水供給口２５を有し、垂直部２４の下部内側に水跳ね上げリブ２６を有している。
【００２３】
２７、２８は前記受筒３の上下部と前記乾燥装置１９とを接続する伸縮自在の蛇腹Ａ、Ｂである。２９は前記蛇腹Ｂ２８と前記受筒３の下部との間に設けられた仕切弁であり、洗濯、脱水時には通路を閉じ、乾燥時には通路を開けるように設けられている。３０は前記仕切弁２９と前記受筒３の下部との間に設けられた排水弁であり、洗濯時には洗浄水やすすぎ水を、脱水時には洗濯物から遠心力で飛び出た水等を、乾燥時には温風冷却用の水と洗濯物の水蒸気を含んだ温風を冷却して得られる凝縮水とを排水するように設定されている。
【００２４】
排水弁３０の先にはトラップ３１が設けられており、乾燥時に洗濯物の水蒸気を含んだ温風が排水弁３０から洩れないように構成されている。また前記熱交換器２２の水供給口２５には乾燥開始時に一定時間多量の水が供給されるように設けられている。この際水量の多少の切り換えは前記水供給口２５の手前の切換弁（図示せず）で行われるように構成されている。３２は前記クラッチ１５を動かすためのソレノイドである。また３３はトラップ３１の後方に設けられたフィルターである。
【００２５】
なお本実施例では洗濯軸９は、減速機構１１を介して駆動モータ１４と連動されているが、直接駆動モータ１４と連結されていても問題はない。
【００２６】
また本実施例では洗濯槽７から受筒３への温風の通路のため、洗濯槽７の内部周壁に設けた小孔５を利用しているが、温風の通路としてパルセータ１２に小孔が設けられていても問題はない。
【００２７】
また本実施例では、熱交換器２２内の水洗いを乾燥開始時に行うようにしているが、乾燥終了時やそれ以外の時でも問題はない。
【００２８】
また本実施例では排水弁３０の先に乾燥時の空気洩れ防止のためにトラップ３１を設けているが、乾燥時に排水弁３０が断続的に開閉し、温風冷却用の水や凝縮水だけを排水して温風は逃がさないように設けられていても問題はなく、また屋外で使用されるなど、湿気が外槽から排出されてもかまわない場合においては、温風が排水弁から一部排出されても、もちろん問題はない。
【００２９】
次に本実施例の動作について説明する。
洗濯行程では、クラッチ１５により洗濯入力軸１３と脱水軸４とは切り離され、駆動モータ１４の回転は脱水軸４には非伝達となり、洗濯入力軸１３、減速機構１１、洗濯軸９を介して攪拌翼１２に伝達されるのみとなり、洗濯物に機械力を与える。こうして洗濯槽７に収容している洗濯物の洗濯、すすぎが進行する。この間仕切弁２９は通路を閉じており、蛇腹Ｂ２８そのものや蛇腹Ｂ２８と熱交換器２２との接続部あるいは蛇腹Ｂ２８と受筒３の下部との接続部に水圧がかかることがなく、水洩れの心配もない。
【００３０】
洗濯行程が終了すると、脱水行程に入る。この脱水行程では、洗濯槽７内の水が排水弁３０から排出され、同時にソレノイド３２に対して通電を行い、クラッチ１５を動かして洗濯入力軸１３と脱水軸４とを連結する。これにより、駆動モータ１４の回転は脱水軸４にも伝達され、洗濯軸９を介してパルセータ１２及び脱水軸４と固定された洗濯槽７が回転する。洗濯槽７が回転することによって洗濯を終了した洗濯物の水分は、遠心力によって洗濯槽７の内側周壁に多数設けている小孔５から受筒３内に、絞り出される。こうして洗濯物は脱水される。脱水の際に受筒３は脱水槽７のアンバランス等により当然揺れるが、サスペンション２や流体バランサー６により揺れを吸収される。また可動部の受筒３は外槽１の一部に取り付けられた固定部である乾燥装置１９と蛇腹Ａ２７、蛇腹Ｂ２８で接続されているため、その動きを妨げられることもない。脱水行程の間、仕切弁２９は洗濯行程時と同じく通路を閉じており、やはり水洩れの心配はない。
【００３１】
脱水行程が終了すると、乾燥行程に入る。この乾燥行程では、洗濯行程と同様にクラッチ１５により、洗濯入力軸１３と脱水軸４とが切り離され、駆動モータ１４の回転は脱水軸４には非伝達となって、洗濯入力軸１３、減速機構１１、洗濯軸９を介してパルセータ１２に伝達されるのみとなり、脱水軸４、及び脱水軸４に固定された洗濯槽７はそれぞれ停止状態に固定される。この状態で先ず仕切弁２９がその通路を開き、排水弁３０もその通路を開いたままで一定時間、熱交換器２２の上方を形成する水平部２３に設けられた温風冷却用の水供給口２５から水を多量（毎分約２０００ｃｃ）に供給する。多量に供給された水は水平部２３、垂直部２４の内壁を流れ、リント等を排水弁３０の後方へ洗い流してくれる。そして洗い流されたリント等はトラップ３１の後方に設けられたフィルター３３に捕獲される。
【００３２】
一定時間が経過すると、水供給口２５から供給される水は少量（毎分約４００ｃｃ）に減らされ、同時に駆動モータ１４が通電されてパルセータ１２が回転を始め、また乾燥装置１９にも通電されて、ヒータ２０に加熱された温風（毎分約１０００リットル）が送風機２１により蛇腹Ａ２７を通って受筒３の上部から洗濯槽７内の洗濯物に向かって吹き出される。この温風によりパルセータ１２に撹拌された洗濯物から水分が徐々に蒸発し、水分を含んだ温風は先濯槽７の小孔５を通じて受筒３に送られ、その後受筒３の下部から仕切弁２９、蛇腹Ｂ２８を通過して後方の熱交換器２２に送られる。そして熱交換器２２の水平部２３に設けられた冷却用の水供給口２５から供給され垂直部２４の下部内側に設けられた水跳ね上げリブ２６にぶつかった少量の冷却水を吹き上げ、噴霧状態にしてその中で冷却水と直接接触し、温風が含んだ水分を凝縮され、除湿が進行する。
【００３３】
このように熱交換器２２内を水洗いするようにしているため、熱交換器２２内にリント等がたまることがなく、除湿、乾燥性能も低下せず、安定したパルセータ式の洗濯乾燥機が確立できる。
【００３４】
また熱交換器２２の水洗いのための水供給口２５が温風冷却用の水供給口２５と兼用のため、構成も簡単なパルセータ式の洗濯乾燥機が確立できる。
【００３５】
（実施例２）
図３において実施例１で説明した部分と同一部分には同一符号を付けて説明を省略する。３４は仕切弁２９と蛇腹Ｂ２８との間に設けられた乾燥時専用の排水弁であり、その排水先は受筒３の下部に設けられた洗濯、脱水時専用の排水弁３５の排水先に接続されている。前記洗濯、脱水時専用の排水弁３５は洗濯行程の排水時と脱水時に弁を開き、それ以外は弁を閉じるように設けられている。また洗濯時には前記乾燥時専用の排水弁３４を開き、送風機２１を作動するように設けられている。また乾燥開始時には実施例１同様、乾燥時専用の排水弁３４の弁を開いて、熱交換器２２の上方を形成する水平部２３に設けられた温風冷却用の水供給口２５から一定時間水を多量に供給するように設けられている。
【００３６】
次に本実施例の動作について説明する。
洗濯時には上記実施例１の動作に加え、排水弁３４を開いた状態で送風機２１を作動するように設けられているため、外槽１外部の空気を排水弁３４から吸引して乾燥装置１９、蛇腹Ａ２７、受筒３の上部を通して洗濯槽７内の水面に風を吹き付けることができ、洗濯時に水が飛び跳ねて床面その他を濡らすことがなくなる。また乾燥装置１９内のヒータ２０や送風機２１内に洗濯水や洗剤が逆流して乾燥機能を劣化させることもなくなる。また乾燥開始時には実施例１同様、乾燥時専用の排水弁３４の弁を開いて、熱交換器２２の上方を形成する水平部２３に設けられた温風冷却用の水供給口２５から水を多量に供給する。多量に供給された水は水平部２３、垂直部２４の内壁を流れ、リント等を排水弁３４の後方へ洗い流してくれる。そして洗い流されたリント等はトラップ３１の後方に設けられたフィルター３３に捕獲される。このように実施例１同様、熱交換器２２内を水洗いするようにしているため、熱交換器２２内にリント等がたまることがなく、除湿、乾燥性能も低下せず、安定した、構成の簡単なパルセータ式の洗濯乾燥機が確立できる。
【００３７】
（実施例３）
図４〜５において実施例１で説明した部分と同一部分には同一符号を付けて説明を省略する。３６は受筒３と一体に設けられ、洗濯槽７外へ排出された洗濯物の水蒸気を含んだ温風を直接水冷してその水分を凝縮する熱交換器である。熱交換器３６は、水平部３７と、垂直部３８から構成され、上方を形成する水平部３７に温風冷却用の水供給口３９を有し、垂直部３８の下部内側に水跳ね上げリブを有している。また４０、４１は熱交換器３６の上部と外槽１の一部に取り付けられた送風機２１の間、及び外槽１の一部に取り付けられたヒータ２０と受筒３の上部との間をそれぞれ接続する伸縮自在の蛇腹Ｃ、Ｄである。４２は受筒３の下部に設けられた洗濯、脱水、乾燥時兼用の排水弁である。
【００３８】
次に本実施例の動作について説明する。
洗濯時には上記実施例１の動作に加え、乾燥装置１９の一部である熱交換器３６が受筒３と一体に設けられているため、洗濯時の洗浄水やすすぎ水も熱交換器３６内に入り込むようになり、このすすぎ水等で熱交換器３６内を水洗いすることができるようになるものである。この際熱交換器３６は受筒３と一体に設けられているため、受筒３の下部と熱交換器３６を接続する蛇腹が不要になり、水洩れの心配がなくなるものである。従って受筒３の下部と熱交換器３６を接続する蛇腹そのものや蛇腹接続部からの洗濯時の水漏れ防止のために設けられていた仕切弁も廃止できるものである。
【００３９】
（実施例４）
図４〜５において実施例３で説明した部分と同一部分には同一符号を付けて説明を省略する。実施例３の構成に加えて、乾燥開始時に、洗濯、脱水、乾燥時兼用の排水弁４２の弁を開いて、熱交換器３６の上方を形成する水平部３７に設けられた温風冷却用の水供給口３９から一定時間水を多量に供給するように設けられている。
【００４０】
次に本実施例の動作について説明する。
乾燥開始時に実施例３の動作に加え、洗濯、脱水、乾燥時兼用の排水弁４２の弁を開いて、熱交換器３６の上方を形成する水平部３７に設けられた温風冷却用の水供給口３９から一定時間水を多量に供給する。多量に供給された水は水平部３７、垂直部３８の内壁を流れ、リント等を排水弁４２の後方へ洗い流してくれる。そして洗い流されたリント等はトラップ３１の後方に設けられたフィルター３３に捕獲される。このように実施例３の動作に加え、熱交換器３６内をさらに水洗いするようにしているため、熱交換器３６内によりいっそうリント等がたまることがなく、除湿、乾燥性能も低下せず、さらに安定した、構成の簡単なパルセータ式の洗濯乾燥機が確立できる。
【００４１】
（実施例５）
図１〜５において実施例１〜４で説明した部分と同一部分には同一符号を付けて説明を省略する。実施例１または２または４いずれかの構成に加えて、乾燥開始時に熱交換器２２、３６内を水洗いする際に、送風機２１を作動し、水量を少量にするように設けられている。
【００４２】
次に本実施例の動作について説明する。
実施例１、２または４いずれかの動作に加えて、乾燥開始時に熱交換器内２２、３６を水洗いする際に送風機２１を作動するように設けているため、水供給口２５、は３９から熱交換器２２、３６内に供給された水が吹き上げられ噴霧状態となって熱交換器２２、３６の内壁に勢い良く飛び散り、内壁に貼り付いたリント等を剥がして後方のフィルター３３に洗い流してくれる。このため多量の水を供給する必要がなくなり、少量の水を供給するだけで熱交換器２２、３６の内壁を洗浄できるようになり節水効果が得られるものである。
【００４３】
【発明の効果】
上記実施例から明らかなように、請求項１に記載の発明によれば、外槽と、該外槽内に弾性的に吊支された受筒と、該受筒内で回転可能に支持され、乾燥のための洗濯物を収容する洗濯槽と、該洗濯槽の内側底部で回転可能に支持されたパルセータと、該パルセータを駆動するモータと、前記外槽の一部に取り付けられ、前記洗濯槽内の洗濯物を加熱して水分を蒸発させるヒータと該ヒータからの温風を前記洗濯槽内に送風する送風機と前記洗濯槽内から前記受筒の下部後方へ排出された洗濯物の水蒸気を含んだ温風を水冷してその水分を凝縮する縦長の熱交換器とから構成される乾燥装置と、該乾燥装置と前記受筒の上下部を接続する伸縮自在の蛇腹Ａ、Ｂと、該蛇腹Ｂと前記受筒との間に設けられ洗濯、脱水時には通路を閉じ、乾燥時には通路を開けるように設定された仕切弁と、該仕切弁と前記受筒との間に設けられた洗濯、脱水、乾燥時兼用の排水弁とを備え、前記熱交換器の上方に温風冷却用の水供給口を設け、前記熱交換器内に前記水供給口から一定時間水を多量に流して水洗いするようにしているので、熱交換器内にリント等がたまることがなく、除湿、乾燥性能も低下せず、安定した、構成の簡単なパルセータ式の洗濯乾燥機が確立できる。
【００４４】
また請求項２に記載の発明によれば、外槽と、該外槽内に弾性的に吊支された受筒と、該受筒内で回転可能に支持され、乾燥のための洗濯物を収容する洗濯槽と、該洗濯槽の内側底部で回転可能に支持されたパルセータと、該パルセータを駆動するモータと、前記外槽の一部に取り付けられ、前記洗濯槽内の洗濯物を加熱して水分を蒸発させるヒータと該ヒータからの温風を前記洗濯槽内に送風する送風機と前記洗濯槽内から前記受筒の下部後方へ排出された洗濯物の水蒸気を含んだ温風を水冷してその水分を凝縮する縦長の熱交換器とから構成される乾燥装置と、該乾燥装置と前記受筒の上下部を接続する伸縮自在の蛇腹Ａ、Ｂと、該蛇腹Ｂと前記受筒との間に設けられ洗濯、脱水時には通路を閉じ、乾燥時には通路を開けるように設定された仕切弁と、該仕切弁と前記蛇腹Ｂとの間に設けられた乾燥時専用の排水弁とを備え、前記熱交換器の上方に温風冷却用の水供給口を設け、前記熱交換器内に前記水供給口から一定時間水を多量に流して水洗いするようにし、また洗濯時には前記排水弁を開き、送風機を作動して洗濯槽内の水面に風を送るようにしているので、外槽外部の空気を吸引して洗濯槽内の水面に風を吹き付けることができ、洗濯時に水が飛び跳ねて床面その他を濡らすことが無く、また乾燥装置内のヒータや送風機内に洗濯水や洗剤が逆流して乾燥機能を劣化させることがない。そして熱交換器内を水洗いするようにしているため、熱交換器内にリント等がたまることがなく、除湿、乾燥性能も低下せず、安定した、構成の簡単なパルセータ式の洗濯乾燥機が確立できる。
【００４５】
また請求項３に記載の発明によれば、外槽と、該外槽内に弾性的に吊支された受筒と、該受筒内で回転可能に支持され、乾燥のための洗濯物を収容する洗濯槽と、該洗濯槽の内側底部で回転可能に支持されたパルセータと、該パルセータを駆動するモータと、前記洗濯槽内の洗濯物を加熱して水分を蒸発させるヒータと該ヒータからの温風を前記洗濯槽内に送風する送風機と前記受筒と一体に設けられ洗濯槽内から前記受筒の下部後方へ排出された洗濯物の水蒸気を含んだ温風を水冷してその水分を凝縮する縦長の熱交換器とから構成される乾燥装置とを備え、前記ヒータと送風機を前記外槽の一部に取り付け、前記熱交換器と送風機の間、及び前記ヒータと受筒上部の間をそれぞれ伸縮自在の蛇腹Ｃ、Ｄで接続すると共に、前記熱交換器の上方に温風冷却用の水供給口を設けているので、洗濯時のすすぎ水等で熱交換器内を水洗いすることができるようになる。また受筒の下部と熱交換器を接続する蛇腹が不要になり、併せて主に洗濯時の蛇腹や蛇腹接続部からの水漏れ防止のために設けられていた仕切弁も廃止できる。
【００４６】
また請求項４に記載の発明によれば、請求項３に記載の発明に加えて、前記熱交換器内に前記水供給口から一定時間水を多量に流してさらに水洗いするようにしたもので、熱交換器内によりいっそうリント等がたまることがなく、除湿、乾燥性能も低下せず、さらに安定した、構成の簡単なパルセータ式の洗濯乾燥機が確立できる。
【００４７】
また請求項５に記載の発明によれば、請求項１または２または４いずれか１項に記載した発明に加えて、熱交換器内を水洗いする際に、前記送風機を作動するようにし、水量を少量にしたもので、請求項１または２または４いずれか１項に記載の発明の作用に加え、水供給口から熱交換器内に供給された水が吹き上げられ噴霧状態となって熱交換器の内壁に飛び散り、洗浄効果が増して、少量の水を供給するだけで洗浄できるようになり節水効果が得られる。
【図面の簡単な説明】
【図１】本発明の実施例１である洗濯乾燥機の全体構成を示す断面図
【図２】同洗濯乾燥機の熱交換器の構造を示す図
【図３】本発明の実施例２である洗濯乾燥機機の全体構成を示す断面図
【図４】本発明の実施例３である洗濯乾燥機機の全体構成を示す断面図
【図５】同洗濯乾燥機の熱交換器の外観図
【符号の説明】
１  外槽
３  受筒
７  洗濯槽
１２  パルセータ
１９  乾燥装置
２０  ヒータ
２１  送風機
２２  熱交換器
２３  水平部
２４  垂直部
２５  水供給口
２７  蛇腹Ａ
２８  蛇腹Ｂ
２９  仕切弁
３０  排水弁
３６  熱交換器
３７  水平部
３８  垂直部
３９  水供給口
４０  蛇腹Ｃ
４１  蛇腹Ｄ
【図１】
0003755299.tif 000002
【図２】
0003755299.tif 000003
【図３】
0003755299.tif 000004
【図４】
0003755299.tif 000005
【図５】
0003755299.tif 000006